(57)【要約】【課題】画像データに対する複数の情報処理サービスを画像処理装置が情報処理装置を用いて利用するシステムにおいて、画像処理装置が利用する情報処理サービスに関連する画像を画像形成装置に形成させない場合と比べて、利用する情報処理サービスの内容をユーザが把握し易い仕組みを提供する。【解決手段】ユーザは画像処理装置２０によって複数枚の用紙に形成された画像をスキャンして画像データとし、ストレージサービス提供装置１０に蓄積する。このとき、ユーザは、画像処理装置２０の操作部を用いて、画像データに対して利用したいサービス（文字認識処理、翻訳処理、等）を指定する。画像処理装置２０は、中継装置３０を介してフロー管理装置４０から供給される画像データに従って、各サービスの内容や属性を指定するためのフォームを用紙にプリントする。【選択図】  図１
2014183521.tif 000002
【特許請求の範囲】
【請求項１】
情報処理装置と画像処理装置とを備え、
前記情報処理装置は、
前記画像処理装置から画像データを受信する画像データ受信手段と、
前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、
ユーザによって選択された情報処理を識別する処理識別データを前記画像処理装置から受信する処理識別データ受信手段と、
前記処理識別データ受信手段によって受信された処理識別データに対応付けて前記記憶手段に記憶されている処理関連データを前記画像処理装置へ送信する処理関連データ送信手段と、
前記画像データ受信手段により受信された画像データを用いて、前記処理識別データ受信手段により受信された処理識別データにより識別される情報処理に関する処理を行う処理手段と
を備え、
前記画像処理装置は、
画像データを取得する画像データ取得手段と、
前記画像データ取得手段により取得された画像データを前記情報処理装置に送信する画像データ送信手段と、
前記画像データ取得手段により取得される画像データを用いて行われる複数の情報処理のなかからユーザにより選択された情報処理を識別する処理識別データを前記情報処理装置へ送信する処理識別データ送信手段と、
前記処理識別データ送信手段による処理識別データの送信に対する応答として、前記情報処理装置から送信されてくる、情報処理に関する情報を示す処理関連データを受信する処理関連データ受信手段と、
前記処理関連データ受信手段によって受信された処理関連データが示す情報を表す画像の形成を、記録媒体に画像を形成する画像形成装置に指示する画像形成指示手段と
を備える通信システム。
【請求項２】
前記処理関連データは、前記情報処理の態様をユーザが記入するためのフォームを表すデータであり、
前記画像データ受信手段は、前記画像処理装置からユーザにより記入の行われたフォームの画像を表す記入済みフォームデータを含む画像データを受信し、
前記情報処理装置は、前記画像データ受信手段によって受信された記入済みフォームデータが表すフォームに含まれるユーザが記入した情報処理の態様を特定する特定手段を更に備え、
前記処理手段は、前記画像データ受信手段により受信された画像データを用いて、前記処理識別データ受信手段により受信された処理識別データにより識別される情報処理が前記特定手段により特定された態様で行われるように前記処理を行い、
前記画像形成指示手段は、前記処理関連データ受信手段によって受信された処理関連データが表すフォームの画像の形成を前記画像形成装置に指示し、
前記画像データ取得手段は、前記画像形成装置により画像が形成され、ユーザにより記入の行われた記録媒体に記録された画像を表す記入済みフォームデータを含む画像データを取得する
請求項１に記載の通信システム。
【請求項３】
前記処理関連データは、前記情報処理の概要を示すデータを含む
ことを特徴とする請求項１又は２に記載の通信システム。
【請求項４】
画像処理装置から画像データを受信する画像データ受信手段と、
前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、
ユーザによって選択された情報処理を識別する処理識別データを前記画像処理装置から受信する処理識別データ受信手段と、
前記処理識別データ受信手段によって受信された処理識別データに対応付けて前記記憶手段に記憶されている処理関連データを、記録媒体に画像を形成する画像形成装置に当該処理関連データが示す情報を表す画像の形成を指示する前記画像処理装置へ送信する処理関連データ送信手段と、
前記画像データ受信手段により受信された画像データを用いて、前記処理識別データ受信手段により受信された処理識別データにより識別される情報処理に関する処理を行う処理手段と
を備える情報処理装置。
【請求項５】
画像データを取得する画像データ取得手段と、
前記画像データ取得手段により取得された画像データを情報処理装置に送信する画像データ送信手段と、
前記画像データ取得手段により取得される画像データを用いて行われる複数の情報処理のなかからユーザにより選択された情報処理を識別する処理識別データを前記情報処理装置へ送信する処理識別データ送信手段と、
前記処理識別データ送信手段による処理識別データの送信に対する応答として、前記情報処理装置から送信されてくる、情報処理に関する情報を示す処理関連データを受信する処理関連データ受信手段と、
前記処理関連データ受信手段によって受信された処理関連データが示す情報を表す画像の形成を、記録媒体に画像を形成する画像形成装置に指示する画像形成指示手段と
を備える画像処理装置。
【請求項６】
コンピュータを、
画像処理装置から画像データを受信する画像データ受信手段と、
前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、
ユーザによって選択された情報処理を識別する処理識別データを前記画像処理装置から受信する処理識別データ受信手段と、
前記処理識別データ受信手段によって受信された処理識別データに対応付けて前記記憶手段に記憶されている処理関連データを、記録媒体に画像を形成する画像形成装置に当該処理関連データが示す情報を表す画像の形成を指示する前記画像処理装置へ送信する処理関連データ送信手段と、
前記画像データ受信手段により受信された画像データを用いて、前記処理識別データ受信手段により受信された処理識別データにより識別される情報処理に関する処理を行う処理手段
として機能させるためのプログラム。
【請求項７】
コンピュータを、
画像データを取得する画像データ取得手段と、
前記画像データ取得手段により取得された画像データを情報処理装置に送信する画像データ送信手段と、
前記画像データ取得手段により取得される画像データを用いて行われる複数の情報処理のなかからユーザにより選択された情報処理を識別する処理識別データを前記情報処理装置へ送信する処理識別データ送信手段と、
前記処理識別データ送信手段による処理識別データの送信に対する応答として、前記情報処理装置から送信されてくる、情報処理に関する情報を示す処理関連データを受信する処理関連データ受信手段と、
前記処理関連データ受信手段によって受信された処理関連データが示す情報を表す画像の形成を、記録媒体に画像を形成する画像形成装置に指示する画像形成指示手段
として機能させるためのプログラム。
【発明の詳細な説明】
【技術分野】
【０００１】
本発明は、通信システム、情報処理装置、画像処理装置及びプログラムに関する。
【背景技術】
【０００２】
クラウドサービスやクラウドコンピューティングと呼ばれるサービスが知られている。このサービスは、例えばネットワーク上のサーバ装置が、データの保存やデータ形式の変換などの各種の情報処理をクライアント装置に代わって行うというものである。また、文書を表す画像データに対してＯＣＲ（Optical Character Recognition）と呼ばれる文字認識処理等の処理を行ってデータを分類したり管理したりする技術が提案されている。例えば、特許文献１には、文書がスキャンされた場合に特定の位置に付加された番号を読み取る旨が記載されている。また、特許文献２には、スキャンしたデータをＯＣＲ処理し、特定の文字列の有無をチェックする旨が記載されている。特許文献３には、撮影場所や人物名等をプリント指示シートに記入して撮影画像に合成する旨が記載されている。また、特許文献４には、原稿を読み取って得られた画像データから文字列を抽出し、マニュアルによって入力された文字列とを用いて検索クエリを生成し、生成した検索クエリを用いて格納装置に蓄積された画像データを検索する旨が記載されている。
【先行技術文献】
【特許文献】
【０００３】
【特許文献１】特開平１１−９６１４８号公報
【特許文献２】特開平１０−２１０２４８号公報
【特許文献３】特開２００９−２３９４０８号公報
【特許文献４】特開２００７−３３６００８号公報
【発明の概要】
【発明が解決しようとする課題】
【０００４】
本発明は、画像データに対する複数の情報処理サービスを画像処理装置が情報処理装置を用いて利用するシステムにおいて、画像処理装置が利用する情報処理サービスに関する画像を画像形成装置に形成させない場合と比べて、利用する情報処理サービスの内容をユーザが把握し易い仕組みを提供することを目的とする。
【課題を解決するための手段】
【０００５】
本発明の請求項１に係る通信システムは、情報処理装置と画像処理装置とを備え、前記情報処理装置は、前記画像処理装置から画像データを受信する画像データ受信手段と、前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、ユーザによって選択された情報処理を識別する処理識別データを前記画像処理装置から受信する処理識別データ受信手段と、前記処理識別データ受信手段によって受信された処理識別データに対応付けて前記記憶手段に記憶されている処理関連データを前記画像処理装置へ送信する処理関連データ送信手段と、前記画像データ受信手段により受信された画像データを用いて、前記処理識別データ受信手段により受信された処理識別データにより識別される情報処理に関する処理を行う処理手段とを備え、前記画像処理装置は、画像データを取得する画像データ取得手段と、前記画像データ取得手段により取得された画像データを前記情報処理装置に送信する画像データ送信手段と、前記画像データ取得手段により取得される画像データを用いて行われる複数の情報処理のなかからユーザにより選択された情報処理を識別する処理識別データを前記情報処理装置へ送信する処理識別データ送信手段と、前記処理識別データ送信手段による処理識別データの送信に対する応答として、前記情報処理装置から送信されてくる、情報処理に関する情報を示す処理関連データを受信する処理関連データ受信手段と、前記処理関連データ受信手段によって受信された処理関連データが示す情報を表す画像の形成を、記録媒体に画像を形成する画像形成装置に指示する画像形成指示手段とを備えることを特徴とする。
【０００６】
本発明の請求項２に係る通信システムは、請求項１に記載の態様において、前記処理関連データは、前記情報処理の態様をユーザが記入するためのフォームを表すデータであり、前記画像データ受信手段は、前記画像処理装置からユーザにより記入の行われたフォームの画像を表す記入済みフォームデータを含む画像データを受信し、前記情報処理装置は、前記画像データ受信手段によって受信された記入済みフォームデータが表すフォームに含まれるユーザが記入した情報処理の態様を特定する特定手段を更に備え、前記処理手段は、前記画像データ受信手段により受信された画像データを用いて、前記処理識別データ受信手段により受信された処理識別データにより識別される情報処理が前記特定手段により特定された態様で行われるように前記処理を行い、前記画像形成指示手段は、前記処理関連データ受信手段によって受信された処理関連データが表すフォームの画像の形成を前記画像形成装置に指示し、前記画像データ取得手段は、前記画像形成装置により画像が形成され、ユーザにより記入の行われた記録媒体に記録された画像を表す記入済みフォームデータを含む画像データを取得することを特徴とする。
【０００７】
本発明の請求項３に係る通信システムは、請求項１又は２に記載の態様において、前記処理関連データは、前記情報処理の概要を示すデータを含むことを特徴とする。
【０００８】
本発明の請求項４に係る情報処理装置は、画像処理装置から画像データを受信する画像データ受信手段と、前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、ユーザによって選択された情報処理を識別する処理識別データを前記画像処理装置から受信する処理識別データ受信手段と、前記処理識別データ受信手段によって受信された処理識別データに対応付けて前記記憶手段に記憶されている処理関連データを、記録媒体に画像を形成する画像形成装置に当該処理関連データが示す情報を表す画像の形成を指示する前記画像処理装置へ送信する処理関連データ送信手段と、前記画像データ受信手段により受信された画像データを用いて、前記処理識別データ受信手段により受信された処理識別データにより識別される情報処理に関する処理を行う処理手段とを備えることを特徴とする。
【０００９】
本発明の請求項５に係る画像処理装置は、画像データを取得する画像データ取得手段と、前記画像データ取得手段により取得された画像データを情報処理装置に送信する画像データ送信手段と、前記画像データ取得手段により取得される画像データを用いて行われる複数の情報処理のなかからユーザにより選択された情報処理を識別する処理識別データを前記情報処理装置へ送信する処理識別データ送信手段と、前記処理識別データ送信手段による処理識別データの送信に対する応答として、前記情報処理装置から送信されてくる、情報処理に関する情報を示す処理関連データを受信する処理関連データ受信手段と、前記処理関連データ受信手段によって受信された処理関連データが示す情報を表す画像の形成を、記録媒体に画像を形成する画像形成装置に指示する画像形成指示手段とを備えることを特徴とする。
【００１０】
本発明の請求項６に係るプログラムは、コンピュータを、画像処理装置から画像データを受信する画像データ受信手段と、前記画像データ受信手段により受信される画像データを用いて行われる複数の情報処理の各々に関し、当該情報処理を識別する処理識別データと、当該情報処理に関する情報を示す処理関連データとを対応付けて記憶する記憶手段と、ユーザによって選択された情報処理を識別する処理識別データを前記画像処理装置から受信する処理識別データ受信手段と、前記処理識別データ受信手段によって受信された処理識別データに対応付けて前記記憶手段に記憶されている処理関連データを、記録媒体に画像を形成する画像形成装置に当該処理関連データが示す情報を表す画像の形成を指示する前記画像処理装置へ送信する処理関連データ送信手段と、前記画像データ受信手段により受信された画像データを用いて、前記処理識別データ受信手段により受信された処理識別データにより識別される情報処理に関する処理を行う処理手段として機能させることを特徴とする。
【００１１】
本発明の請求項７に係るプログラムは、コンピュータを、画像データを取得する画像データ取得手段と、前記画像データ取得手段により取得された画像データを情報処理装置に送信する画像データ送信手段と、前記画像データ取得手段により取得される画像データを用いてにより行われる複数の情報処理のなかからユーザにより選択された情報処理を識別する処理識別データを前記情報処理装置へ送信する処理識別データ送信手段と、前記処理識別データ送信手段による処理識別データの送信に対する応答として、前記情報処理装置から送信されてくる、情報処理に関する情報を示す処理関連データを受信する処理関連データ受信手段と、前記処理関連データ受信手段によって受信された処理関連データが示す情報が表す画像の形成を、記録媒体に画像を形成する画像形成装置に指示する画像形成指示手段として機能させることを特徴とする。
【発明の効果】
【００１２】
請求項１に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの内容をユーザが把握し易い。
請求項２に係る発明によれば、情報処理の処理態様がユーザによって記入された記録媒体を読み取って処理態様を判別しない場合と比べて、ユーザが情報処理サービスの処理態様を指定し易い。
請求項３に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの概要をユーザが把握し易い。
請求項４に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの内容をユーザが把握し易い。
請求項５に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの内容をユーザが把握し易い。
請求項６に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの内容をユーザが把握し易い。
請求項７に係る発明によれば、画像データに対する複数の情報処理サービスを画像処理装置が情報処理装置を用いて利用するシステムにおいて、利用する情報処理サービスに関する画像を画像形成装置に形成させない場合と比べて、利用する情報処理サービスの内容をユーザが把握し易い。
【図面の簡単な説明】
【００１３】
【図１】通信システムの全体構成を示すブロック図である。
【図２】ストレージサービス提供装置のハードウェア構成を示す図である。
【図３】画像処理装置のハードウェア構成を示す図である。
【図４】中継装置のハードウェア構成を示す図である。
【図５】フロー管理装置のハードウェア構成を示す図である。
【図６】通信システムの機能構成を示す図である。
【図７】画像データの蓄積処理を示すシーケンスチャートである。
【図８Ａ】画像処理装置の表示部に表示される画面の一例を示す図である。
【図８Ｂ】画像処理装置の表示部に表示される画面の一例を示す図である。
【図９Ａ】画像処理装置によって用紙に形成される画像の一例を示す図である。
【図９Ｂ】画像処理装置によって用紙に形成される画像の一例を示す図である。
【図９Ｃ】画像処理装置によって用紙に形成される画像の一例を示す図である。
【図１０】通信システムの全体構成を示すブロック図である。
【図１１Ａ】画像処理装置によって用紙に形成される画像の一例を示す図である。
【図１１Ｂ】画像処理装置によって用紙に形成される画像の一例を示す図である。
【発明を実施するための形態】
【００１４】
［構成］
図１は、本発明の一実施形態に係る通信システム１の全体構成を示すブロック図である。通信システム１は、ストレージサービス提供装置１０と、画像処理装置２０と、中継装置３０と、フロー管理装置４０と、加工サービス提供装置５０ａ、５０ｂ及び５０ｃとを備えている。ストレージサービス提供装置１０と加工サービス提供装置５０ａ、５０ｂ及び５０ｃは、いわゆるクラウドサービスを提供するサーバ装置である。ここでいうクラウドサービスとは、例えばデータの保存や提供などの各種の情報処理を、ネットワーク上のサーバ装置が行うというものである。ストレージサービス提供装置１０は、主にデータの保存や提供を行う装置である。加工サービス提供装置５０ａ、５０ｂ及び５０ｃは、例えばＯＣＲと呼ばれる文字認識処理や、データ形式の変換処理、翻訳処理等の各種の情報処理を行う装置である。以下の説明では、説明の便宜上、加工サービス提供装置５０ａ、５０ｂ及び５０ｃが提供するサービスを「加工サービス」と称して説明する。
【００１５】
画像処理装置２０は、ストレージサービス提供装置１０、並びに加工サービス提供装置５０ａ、５０ｂ及び５０ｃによって提供されるサービスを受ける装置である。本実施形態では、画像処理装置２０は、プリント機能とスキャナ機能とを有している。ネットワーク６０は、画像処理装置２０と、中継装置３０と、フロー管理装置４０と、ストレージサービス提供装置１０と、加工サービス提供装置５０ａ、５０ｂ及び５０ｃとを相互に接続する通信網であり、例えばインターネットである。
【００１６】
中継装置３０は、ストレージサービス提供装置１０から画像処理装置２０にストレージサービスが提供される際に、ストレージサービス提供装置１０と画像処理装置２０とでやり取りされるデータの中継処理を行う。より具体的には、中継装置３０は、例えば保存対象となるデータが画像処理装置２０から送信されてくると、そのデータをストレージサービス提供装置１０に転送する。また、中継装置３０は、印刷対象となるデータがストレージサービス提供装置１０から送信されてくると、そのデータを画像処理装置２０に転送する。
【００１７】
フロー管理装置４０は、中継装置３０によって中継されるデータに対して施される加工サービスを管理するための装置である。この実施形態では、ユーザは、ストレージサービス提供装置１０にデータを蓄積する前に、蓄積対象であるデータに対して１又は複数の加工サービスを利用する。フロー管理装置４０には、加工サービス提供装置５０によって提供される加工サービスの組み合わせが予め複数登録されており、フロー管理装置４０は、中継装置３０から送信されてくるデータに従って、ユーザによって選択された加工サービスの依頼を加工サービス提供装置５０ａ、５０ｂ及び５０ｃに行う。以下の説明では、説明の便宜上、蓄積対象であるデータに対して施される情報処理を「フロー」と呼び、複数のフローの組み合わせを「フロー連携」と称する。また、加工サービス提供装置５０ａ、５０ｂ、５０ｃはいずれも共通のハードウェア構成及び動作であり、以下では、これらを区別して説明する場合を除き、加工サービス提供装置５０と呼ぶ。
【００１８】
図２は、ストレージサービス提供装置１０のハードウェア構成を示す図である。図において、制御部１１は、ＣＰＵ（Central Processing Unit）等の演算装置と、ＲＯＭ（Read Only Memory）及びＲＡＭ（Random Access Memory）などの主記憶装置とを備えている。演算装置は、ＲＡＭをワークエリアとして用いてＲＯＭや記憶部１３に記憶されたプログラムを実行することによって、ストレージサービス提供装置１０の各部の動作を制御する。通信部１２は、ネットワーク６０経由で中継装置３０と通信を行う。記憶部１３は、例えばハードディスク等の記憶デバイスであり、制御部１１が用いるデータやプログラムを記憶している。記憶部１３には、中継装置３０を介して画像処理装置２０から送信されてくるデータが蓄積される。
【００１９】
図３は、画像処理装置２０のハードウェア構成を示す図である。図において、制御部２１は、ＣＰＵなどの演算装置と、ＲＯＭ及びＲＡＭなどの主記憶装置とを備えている。ＲＯＭには、演算装置によって実行されるプログラムが記憶されている。演算装置は、ＲＡＭをワークエリアとして用いてＲＯＭや記憶部２７に記憶されたプログラムを実行することによって、画像処理装置２０の各部の動作を制御する。通信部２２は、ネットワーク６０経由で、中継装置３０と通信を行う。操作部２３は、各種のキーやタッチセンサなどの操作子を備え、ユーザの操作に応じた操作信号を制御部２１に供給する。制御部２１は、この操作信号に応じた処理を行う。表示部２４は、液晶パネルや液晶駆動回路を備え、制御部２１による制御の下で画像を表示する。画像形成部２５は、電子写真方式で用紙等の記録媒体に画像を形成する。画像読取部２６は、原稿の画像を光学的に読み取る。記憶部２７は、例えばハードディスク等の記憶デバイスであり、制御部２１が用いるデータやプログラムを記憶している。
【００２０】
図４は、中継装置３０のハードウェア構成を示す図である。図において、制御部３１は、ＣＰＵ等の演算装置と、ＲＯＭ及びＲＡＭなどの主記憶装置とを備えている。演算装置は、ＲＡＭをワークエリアとして用いてＲＯＭや記憶部３３に記憶されたプログラムを実行することによって、中継装置３０の各部の動作を制御する。通信部３２は、ネットワーク６０経由で、画像処理装置２０やストレージサービス提供装置１０と通信を行う。記憶部３３は、例えばハードディスク等の記憶デバイスであり、制御部３１が用いるデータやプログラムを記憶している。
【００２１】
図５は、フロー管理装置４０のハードウェア構成を示す図である。図において、制御部４１は、ＣＰＵ等の演算装置と、ＲＯＭ及びＲＡＭなどの主記憶装置とを備えている。演算装置は、ＲＡＭをワークエリアとしてＲＯＭや記憶部４３に記憶されたプログラムを実行することによって、フロー管理装置４０の各部の動作を制御する。通信部４２は、ネットワーク６０経由で、中継装置３０や加工サービス提供装置５０と通信を行う。記憶部４３は、例えばハードディスク等の記憶デバイスであり、制御部４１が用いるデータやプログラムを記憶している。記憶部４３は、フローデータ記憶部４４を有する。フローデータ記憶部４４には、画像データを用いて行われる複数の情報処理（フロー）の各々に関し、各フローを識別する処理識別データと、そのフローに関するフローデータ（処理関連データ）とが対応付けて記憶される。この実施形態では、フローデータには、各フローの概要（説明）を示す概要データと各フローについての処理態様（属性）の選択を促すためのフォームの画像（例えば、画像の解像度（高／中／低）や、カラー（白黒／フルカラー）を選択するための画像、等）を表すデータ（以下「フォームデータ」という）とが含まれる。
【００２２】
この実施形態では、画像処理装置２０のユーザは、フローの処理態様（属性）の選択を促すための画像が形成された用紙（以下「フォーム用紙」）という）に記入を行うことによって属性を指定することができる。図９Ａはフォーム用紙の一例を示す図である。図示のように、フォーム用紙には、画像の解像度や、カラーを選択するためのフォームの画像が形成される。
【００２３】
図６は、フロー管理装置４０と画像処理装置２０の機能構成を示す図である。フロー管理装置４０は、制御部４１又は制御部４１と通信部４２とにより、画像データ受信手段１４１、処理識別データ受信手段１４２、フローデータ送信手段１４３、処理手段１４４、特定手段１４５を実現する。画像データ受信手段１４１は、画像処理装置２０から画像データを受信する。この画像データには、ユーザにより記入の行われたフォームの画像を表す記入済みフォームデータが含まれる。
【００２４】
処理識別データ受信手段１４２は、ユーザによって選択されたフローを識別する処理識別データを画像処理装置２０から受信する。フローデータ送信手段１４３は、処理識別データ受信手段１４２によって受信された処理識別データに対応付けてフローデータ記憶部４４に記憶されているフローデータを画像処理装置２０へ送信する。
【００２５】
特定手段１４５は、画像データ受信手段１４１によって受信された記入済みフォームデータが表すフォームに含まれるユーザが記入したフローの態様を特定する。処理手段１４４は、画像データ受信手段１４１により受信された画像データを用いて、処理識別データ受信手段１４２により受信された処理識別データにより識別されるフローが特定手段１４５により特定された態様で行われるように、フローに関する処理を行う。この実施形態では、処理手段１４４は、処理識別データにより示されるフローが加工サービス提供装置５０によって提供されるものである場合には、そのフローが特定手段１４５によって特定された態様で行われるように加工サービス提供装置５０にフローの実行を依頼する。一方、処理識別データにより示されるフローが自装置（すなわちフロー管理装置４０）で実行されるものである場合には、処理手段１４４は、そのフローを特定手段１４５によって特定された態様で実行する。
【００２６】
画像処理装置２０は、制御部２１又は制御部２１と通信部２２とにより、画像データ取得手段１２１、画像データ送信手段１２２、処理識別データ送信手段１２３、フローデータ受信手段１２４、画像形成指示手段１２５を実現する。画像データ取得手段１２１は画像データを取得する。取得される画像データには、画像形成部２５によりフォームの画像が形成され、ユーザにより記入の行われた記録媒体に記録された画像を表す記入済みフォームデータが含まれる。
【００２７】
画像データ送信手段１２２は画像データ取得手段１２１により取得された画像データを中継装置３０へ送信する。処理識別データ送信手段１２３は画像データ取得手段１２１により取得される画像データを用いて行われる複数のフローのなかからユーザにより選択されたフローを識別する処理識別データを中継装置３０へ送信する。フローデータ受信手段１２４は、処理識別データ送信手段１２３による処理識別データの送信に対する応答として中継装置３０から送信されてくるフローデータを受信する。画像形成指示手段１２５は、フローデータ受信手段１２４によって受信されたフローデータが表すフォームの画像の形成を画像形成部２５に指示する。
【００２８】
［動作］
次に、実施形態の動作について説明する。以下の動作例では、ユーザＵが画像処理装置２０によって複数枚の用紙（記録媒体）をスキャンさせて画像データとし、ストレージサービス提供装置１０に蓄積するための操作を行う。このとき、ユーザＵは、画像処理装置２０の操作部２３を用いて、画像データに対して行う文字認識処理や翻訳処理等の情報処理（フロー）を指定する。中継装置３０は画像処理装置２０とストレージサービス提供装置１０とを中継するとともに、蓄積対象である画像データに対するフローの実行を、フロー管理装置４０に依頼する。以下の動作例では、実行されるフローとして、文字認識処理、データ形式の変換処理及び翻訳処理が用いられる。これらのフローのうち、文字認識処理についてはフロー管理装置４０によって実行される。一方、データ形式の変換処理及び翻訳処理についてはフロー管理装置４０が加工サービス提供装置５０へフローの実行を依頼する。
【００２９】
以下、図７に示すシーケンスチャートを参照しつつ、用紙をスキャンして画像データを生成し、生成した画像データに対して各種の加工処理を行った後にストレージサービス提供装置１０に蓄積する処理について説明する。ユーザＵは、画像処理装置２０の操作部２３を用いて、用紙をスキャンして画像データを生成してストレージサービス提供装置１０に格納するための操作を行う。この操作としては、ストレージサービス提供装置１０にアクセスするための認証情報の入力等の操作を含む。なお、この認証情報の入力処理については従来のシステムにおいて用いられる処理と同様であり、ここではその詳細な説明を省略する。また、認証情報のやりとりの手法としては、例えば画像処理装置２０に対してカードによる認証を行い、カード内に記録されたデジタル証明書を画像処理装置２０が読み取り、読み取ったデジタル証明書を中継装置３０やフロー管理装置４０がやりとりするデータに付与することでユーザを特定してもよい。また、他の例として、例えば、画像処理装置２０が取得したデジタル証明書をＱＲコード（登録商標）にしてフォーム用紙に埋め込み、フロー管理装置４０でＱＲコードを解析して認証してもよい。
【００３０】
ユーザＵは、画像処理装置２０の操作部２３を用いて、データの格納先のクラウドサービスやフォルダを選択する。画像処理装置２０の制御部２１は、操作部２３から出力される情報に従って、データの格納先のクラウドサービスやフォルダを選択する。更に、ユーザＵは、操作部２３を用いて画像データに対して実行するフローの組み合わせ（フロー連携）を選択する。制御部２１は、操作部２３から出力される情報に従って、複数のフロー連携のなかからいずれかを選択し（ステップＳ１）、選択したフロー連携に含まれるフローの一覧を表示部２４に表示する。
【００３１】
図８Ａは、表示部２４に表示されるフローの一覧画面を示す図である。図８Ａは、「Ｆｌｏｗ−Ａ」と、「Ｆｌｏｗ−Ｂ」と、「Ｆｌｏｗ−Ｃ」と、「Ｆｌｏｗ−Ｄ」とを含むフロー連携が選択された場合の画面を例示している。図８Ａに示す画面Ｓｃ１において、各フローの名称の隣にはそれぞれ、各フローの詳細情報を表示させるための「詳細」ボタンＢ１、Ｂ２、Ｂ３、Ｂ４が表示される。また、画面Ｓｃ１には、リストのフローで確定する（フローの実行を指示する）ための「確定」ボタンＢ５が表示される。
【００３２】
ユーザＵは、画面Ｓｃ１に表示される詳細ボタンＢ１、Ｂ２、Ｂ３、Ｂ４を用いて、各フローの詳細を確認する。ユーザＵによって詳細ボタンＢ１、Ｂ２、Ｂ３、Ｂ４のいずれかが選択されると、対応するフローの詳細内容（フローの概要）とフローの属性（処理態様）を記入するためのフォームとを含む画像が画像処理装置２０でプリントされる（図７のステップＳ２乃至ステップＳ７）。具体的には、まず、詳細ボタンＢ１、Ｂ２、Ｂ３、Ｂ４のいずれかがユーザによって選択されると、制御部２１は、自装置を識別する装置ＩＤと、フロー連携を識別する情報（以下「フロー連携情報」という）、フロー名（処理識別データ）、詳細情報を要求する旨を示す情報（以下「詳細情報要求」という）を、中継装置３０へ送信する（図７のステップＳ２）。
【００３３】
中継装置３０は、画像処理装置２０から、装置ＩＤと、フロー連携情報と、フロー名と、詳細情報要求とを受信すると、フロー名とそのフローについての詳細情報を要求する旨を示すリクエストを、フロー管理装置４０へ送信する（ステップＳ３）。
【００３４】
フロー管理装置４０の制御部４１は、中継装置３０からリクエストを受信すると、受信したリクエストに応じてフローデータやフォームを識別する文字列を特定の位置に記述する旨を示すフォームデータ（ＰＤＬデータ（Page Description Language）等）を生成する（ステップＳ４）。図９Ａは生成されるフォームデータの内容の一例を示す図である。フォームデータに含まれる文字列は、ランダムに生成された文字列であってもよく、また、特定の単語が組み合わされた文字列であってもよい。また、この文字列は、複数のフローにおいて同じ文字列であってもよく、また、フロー毎に異なる文字列であってもよい。文字列を記述する位置としては、例えば、用紙の隅等、他の文字等と重ならない位置としてもよい。
【００３５】
また、ステップＳ４において生成されるフォームデータには、「フローの説明」と、「プラグイン」と、「属性」との各項目を表すデータが含まれる。「フローの説明」の項目には、フローの概要や説明を表すデータが含まれる。「プラグイン」の項目には、そのフローで用いられるプラグインを示すデータが含まれる。「属性」の項目には、解像度やカラーなど、フローの処理態様（以下「属性」という）を選択させるためのフォームの画像を表すデータが含まれる。フロー管理装置４０は、生成したフォームデータを中継装置３０へ送信する（ステップＳ５）。中継装置３０は、フロー管理装置４０から送信されてくるフォームデータを画像処理装置２０へ転送する（ステップＳ６）。画像処理装置２０は、中継装置３０からフォームデータを受信すると、受信したフォームデータを画像形成部２５に供給し、用紙に画像を形成させる（ステップＳ７）。
【００３６】
図９Ａは、ステップＳ７において用紙に画像形成される画像の一例を示す図である。図示のように、フォーム用紙Ｐ１には、「フローの説明」と、「プラグイン」と、「属性」との各項目を表すデータに応じた画像が画像形成される。図９Ａに示す例では、「Flow-Aの説明」を表す文字や図形が画像形成されるとともに、プラグインの内容を表す文字や図形が画像形成され、更に、フローの属性をユーザが記入するために属性毎に設けられた記入欄が画像形成される。
【００３７】
ユーザＵは、画像処理装置２０によって画像形成されたフォーム用紙Ｐ１を確認する。ユーザＵは、フォーム用紙Ｐ１に印字された「フローの説明」や「プラグイン」を視認することで、フローの内容やプラグインの内容を把握する。また、ユーザは、フローの属性を変更したい場合には、フォーム用紙に記載されたフォームに記入する。具体的には、例えば、ユーザは、「解像度」の項目には、「６００（dpi）」や「２００（dpi）」、「５０（dpi）」といった数値を記入するとともに、「カラー」の項目には、「白黒」や「フルカラー」といった文字列を記入する。
【００３８】
属性の記入を終えると、ユーザＵは、記入したフォーム用紙と、スキャン対象である用紙とをあわせて画像処理装置２０に読み取らせるための操作を操作部２３を用いて行う。このとき、ユーザＵは、例えば、スキャン対象である用紙の上にフォーム用紙を重ねてスキャン処理を行わせてもよい。画像処理装置２０の制御部２１は、操作部２３から出力される情報に従って画像読取部２６に画像を読み取らせる（ステップＳ８）。これにより、画像読取部２６はスキャン対象である用紙の画像を読み取って画像データを生成する。制御部２１は、生成された画像データと、ステップＳ１で選択されたフロー連携情報とを、中継装置３０へ送信する（ステップＳ９）。中継装置３０は、画像処理装置２０から受信された画像データとフロー連携情報とをフロー管理装置４０へ転送する（ステップＳ１０）。
【００３９】
フロー管理装置４０の制御部４１は、中継装置３０から画像データとフロー連携情報とを受信すると、まず、受信した画像データに対してＯＣＲ処理を施し、画像データからフォームを示す文字列が抽出されたか否かをページ単位で判定する。制御部４１は、フォームを示す文字列が抽出された画像データをフォームデータと判定し、それ以外をスキャン対象である用紙の画像データと判定する（ステップＳ１１）。文字列の比較する処理においては、認識誤りにより文字列が一致しない可能性がある。これを考慮し、制御部４１は、例えば、文字列が抽出された画像データが複数ある場合には、文字列の類似度が高いほうをフォームデータと判定してもよい。この場合、類似度は、文字数や含まれる文字が一致した数に基づいて算出されてもよい。
【００４０】
制御部４１は、フォームデータを解析して、ユーザＵによって記入された属性情報をフォームデータから抽出し（ステップＳ１２）、画像データに対して抽出した属性情報の示す属性でフロー（文字認識処理）を実行する（ステップＳ１３）。フロー（文字認識処理）を終えると、制御部４１は、文字認識処理を施すことによって生成されたデータ対して、抽出した属性情報の示す属性でデータに対するフロー（データ形式の変換処理）の実行を、加工サービス提供装置５０ａに対して依頼する（ステップＳ１４）。加工サービス提供装置５０ａは、フロー管理装置４０からのリクエストに従って、受信されたデータに対してフロー（データ形式の変換処理）を実行し（ステップＳ１６）、フローを施すことによって生成されたデータをフロー管理装置４０へ返送する（ステップＳ１８）。加工サービス提供装置５０ａによってデータ形式の変換処理が施されたデータは、フロー管理装置４０によって、加工サービス提供装置５０ｂへ送信される（ステップＳ１５）。加工サービス提供装置５０ｂはフロー管理装置４０の依頼内容に応じて翻訳処理を施し（ステップＳ１７）、翻訳処理が施されたデータをフロー管理装置４０へ送信する（ステップＳ１９）。
【００４１】
フロー連携情報の示すフローを終えると、フロー管理装置４０は、フローが施されたデータを、中継装置３０へ送信する（ステップＳ２０）。中継装置３０は、フロー管理装置４０から受信したデータを、ユーザＵによって指定されたストレージサービス提供装置１０へ送信し（ステップＳ２１）、ストレージサービス提供装置１０は、中継装置３０から受信されたデータを指定されるフォルダに格納する（ステップＳ２２）。以上のようにしてデータの格納処理が行われる。この実施形態によれば、例えばＵＩの表示領域が狭いデバイスであっても、ユーザによるフローの概要の確認やフローの属性変更が容易である。
【００４２】
［変形例］
上述した実施形態は、本発明の一例であり、以下のように変形してもよい。また、以下の変形例は、互いに組み合わせてもよい。
【００４３】
（１）通信システム１の構成は、上述した実施形態で説明した構成に限定されない。例えば、通信システム１を構成する各装置の数は、実施形態とは異なる数であってもよい。例えば、上述の実施形態では、通信システム１が１台の画像処理装置２０を備える例を示したが、画像処理装置２０の数は１に限らず、複数であってもよい。また、上述の実施形態では、ひとつのストレージサービスを一台のストレージサービス提供装置が提供したが、これに限らず、ひとつのストレージサービスが複数のサーバ装置によって提供されてもよい。具体的には、例えば、図１０に示すように、複数のストレージサービス提供装置１０−１、１０−２、１０−３によってひとつのストレージサービスが提供されてもよい。また、複数の加工サービス提供装置によってひとつの加工サービスが提供されてもよい。
【００４４】
また、上述の実施形態では、１つのストレージサービスが提供される場合を例示したが、ストレージサービスの数は１に限らず、複数であってもよい。
【００４５】
（２）上述した実施形態で説明した画像処理装置２０は、ストレージサービス提供装置１０又は加工サービス提供装置５０からサービスの提供を受け、画像データを出力する装置の一例である。この装置は、例えば携帯ゲーム機等の他の種類の装置であってもよい。
【００４６】
（３）上述の実施形態では、中継装置３０とフロー管理装置４０とが別体の装置として構成されたが、中継装置３０とフロー管理装置４０とが一体として構成されていてもよい。中継装置３０とフロー管理装置４０とは本発明に係る情報処理装置の一例である。
【００４７】
（４）上述の実施形態では、フロー管理装置４０の制御部４１が、中継装置３０から受信された画像データに対してＯＣＲ処理を施し、フォームを示す文字列が抽出されたか否かを判定することによって、フォームデータか否かを判定した。フォームデータか否かの判定の手法はこれに限らず、他の手法を用いてもよい。例えば、文字列に代えて予め定められた図形やＱＲコードを用いて判定を行ってもよい。
【００４８】
（５）上述の実施形態では、画像処理装置２０の表示部２４に表示される画面の一例として、図８Ａに示す画面Ｓｃ１を例示したが、フローリストを表す画面はこれに限らず、他の画面であってもよい。例えば、図８Ｂに示すように、全てのフローに対してひとつの詳細ボタンＢ２１が設けられる画面Ｓｃ２が表示されてもよい。この場合、詳細ボタンＢ２１が押下されると、図１１Ａに例示するように、全てのフローの説明とフォームがフロー毎に用紙に画像形成されてもよい。また、図１１Ｂに例示するように、フロー毎にフォーム用紙が分けられて出力されてもよい。ユーザは、フローの説明とフォームとが印字されたフォーム用紙を確認してフローを選択し、選択したフローに対応するフォームデータに属性を記入し、画像形成装置２０にスキャンさせる。
【００４９】
（６）上述の実施形態では、画像処理装置２０がフォーム用紙に形成する画像として、図９Ａに示す画像を例示したが、フォーム用紙に形成される画像はこれに限らず、他の画面であってもよい。例えば、図９Ｂや図９Ｃに示す画像であってもよく、フローの概要（説明）やフローの属性を記入するための画像を含むものであればよい。図９Ｂに示す例では、「解像度」として「高」、「中」、「低」のいずれかを選択するチェックボックスが印字されるとともに、「カラー」として「白黒」、「フルカラー」のいずれかを選択するためのチェックボックスが印字される。図９Ｃに示す例では、「解像度」として「６００dpi」、「２００dpi」、「５０dpi」のいずれかを選択するためのチェックボックスがフォーム用紙に印字される。
【００５０】
（７）上述の実施形態では、情報処理（フロー）に関する情報を示すフローデータとして、フローの処理態様をユーザが記入するためのフォームを表すフォームデータと、フローの概要を示す概要データとを含むデータを用いたが、フローデータはフォームデータと概要データとの両方を含む構成に限らない。例えば、フローデータが概要データを含まない構成であってもよく、また、例えば、フローデータがフォームデータを含まない構成であってもよい。
【００５１】
また、上述の実施形態では、ユーザがフォーム用紙にフローの処理態様を記入し、フロー管理装置４０の制御部４１が記入済みフォームデータに基づいてフローの処理態様を特定したが、ユーザがフォーム用紙にフローの処理態様を記入しない（すなわち制御部４１がフローの処理態様を特定しない）構成であってもよい。例えば、フローデータが概要データのみからなる（すなわちフローデータにフォームデータが含まれない）場合には、画像形成部２５によって、フローの概要を表す画像が用紙に形成され、フォームを表す画像は用紙に形成されない。この場合、ユーザは用紙に形成されたフローの概要を表す画像を確認することで、フローの内容を把握する。
【００５２】
（８）画像処理装置２０、中継装置３０、及びフロー管理装置４０において実行されるプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５３】
１…通信システム、１０…ストレージサービス提供装置、１１，２１，３１，４１…制御部、１２，２２，３２，４２…通信部、１３，２７，３３，４３…記憶部、２０…画像処理装置、２３…操作部、２４…表示部、２５…画像形成部、２６…画像読取部、３０…中継装置、４０…フロー管理装置、４４…フローデータ記憶部、５０…加工サービス提供装置、６０…ネットワーク、１２１…画像データ取得手段、１２２…画像データ送信手段、１２３…処理識別データ送信手段、１２４…フローデータ受信手段、１２５…画像形成指示手段、１４１…画像データ受信手段、１４２…処理識別データ受信手段、１４３…フローデータ送信手段、１４４…処理手段、１４５…特定手段。
【図１】
2014183521.tif 000003
【図２】
2014183521.tif 000004
【図３】
2014183521.tif 000005
【図４】
2014183521.tif 000006
【図５】
2014183521.tif 000007
【図６】
2014183521.tif 000008
【図７】
2014183521.tif 000009
【図８Ａ】
2014183521.tif 000010
【図８Ｂ】
2014183521.tif 000011
【図９Ａ】
2014183521.tif 000012
【図９Ｂ】
2014183521.tif 000013
【図９Ｃ】
2014183521.tif 000014
【図１０】
2014183521.tif 000015
【図１１Ａ】
2014183521.tif 000016
【図１１Ｂ】
2014183521.tif 000017